(57)【要約】      （修正有）【課題】市販の電線圧着工具の雌雄のダイス部の噛合部に臨んで取付けられ、圧着接続子の圧着胴部の圧縮変形作業時に工具からの脱落を防止するバックラッシュを提供する。【解決手段】杆体２、３の先端部にそれぞれ大きさを異にする凹凸のダイス部Ａ、Ｂを形成し噛合部９を形成した電線圧着工具において、杆体の側面から噛合部に向けて形成した貫通孔４内に、基端を弾性体７にて付勢された押しピン６を押しねじ８で螺着することにより噛合部に進退自在に突出させるバックラッシュを設けた。【選択図】図１
0003194489.tif 000002
【実用新案登録請求の範囲】
【請求項１】
杆体２、３の先端部にそれぞれ大きさを異にする凹凸のダイス部Ａ、Ｂを形成し噛合部９を形成した電線圧着工具であって、該工具の杆体２、３の側面から凹凸のダイス部の噛合部９に向けて形成した貫通孔４内に、基端を弾性体７にて付勢された押しピン６を進退自在に突出させたことを特徴とする電線圧着工具のバックラッシュ。
【請求項２】
前記バックラッシュは、杆体２、３の側面より凹凸のダイス部の噛合部９に向けて形成された貫通孔４内に、先端ピン部が突出して挿入される押しピン６と、該押しピン６の後部に当接される弾性体７を挿通し、該弾性体７を押しピン６側に常時付勢する押しねじ８を螺層して構成された電線圧着工具のバックラッシュ。
【請求項３】
前記貫通孔４は杆体の側面より凹型ダイス部Ａに向けて形成され、貫通孔４の先端部は押しピン６の先端ピン部６１が挿通される細径のピン孔４１とし形成され、後部は径太の通孔４２として形成され、押しねじ８が螺着される電線圧着工具のバックラッシュ。
【考案の詳細な説明】
【技術分野】
【０００１】
本考案は、スタット穴を開けた舌部と筒状の圧着胴部からなる電気圧着接続子（以下、単に圧着接続子という。）の筒状の圧着胴部に電線を挿通させ、圧着工具により胴部を圧縮変形させて電線を保持させるための手動式の電線圧着工具に取り付けるバックラッシュに関する。
【背景技術】
【０００２】
従来、電気工事現場では圧着接続子に電線を挿通して圧着工具により圧縮変形させて保持させることが行われているが、圧着工具の凸型ダイスと凹型ダイスの圧着部に圧着接続子を挟み込んだときに極小ながらあそび間隙があり、その間隙のために圧着接続子がダイス部より脱落しやすい。脱落した場合、電力用機器等所謂配電盤などの内部に剥き出しになっている電力用機器端子類又は通電箇所に落下して接触し、重大事故に繋がる例は多数に上り、電気工事の現場では問題となっている。
【０００３】
本出願人はかかる問題を解決するため、先にどんな圧着工具にも取り付けることのできる圧着接続子の保持金具を提案した（特許文献１）。この保持金具は、圧着工具の凸型ダイス部にコ字型のクランプ部材にて板ばねを取付け、該板ばねの先を延設して摺動板とした。更に、この摺動板の先端面を複数の半円状の切欠きとして、この切欠きにて圧着接続子を把持して脱落を防止しようとするものである。
【０００４】
【特許文献１】実願２０１４−３０４５
【考案の概要】
【考案が解決しようとする課題】
【０００５】
本考案は従来の市販されている手動式の圧着工具が雌雄となる凸型ダイス部と凹型ダイス部間のあそび間隙があることを前提に、どんな圧着工具にも簡単に適用でき、作業中に圧着接続子が脱落しないバックラッシュを提供するものである。
【課題を解決するための手段】
【０００６】
上記目的を達成するため、本考案は杆体の先端部にそれぞれ大きさを異にする凹凸のダイス部を形成し噛合部を形成した電線圧着工具であって、該工具の杆体の側面から凹凸のダイス部の噛合部に向けて形成した貫通孔内に、基端を弾性体にて付勢された押しピンを進退自在に突出させた。
【０００７】
又、前記バックラッシュは、杆体の側面より凹凸のダイス部の噛合部に向けて形成された貫通孔内に、先端ピン部が突出して挿入される押しピンと、該押しピンの後部に当接される弾性体を挿通し、該弾性体を押しピン側に常時付勢する押しねじを螺着して構成した。
【０００８】
更に、前記貫通孔は杆体の側面より凹型ダイス部に向けて形成され、貫通孔の先端部は押しピンの先端ピン部が挿通される細径の孔として形成され、後部は径太の通孔として形成され押しねじにて螺着した。
【考案の効果】
【０００９】
本考案によれば、圧着工具の品番如何によらず、雌雄のダイス部にあそび間隙がある圧着工具であっても圧着接続子の脱落を防止すると共に、圧着接続作業の能率の向上に寄与することができる。
【図面の簡単な説明】
【００１０】
【図１】本考案の実施例を示す圧着ダイス部を有する杆体の要部の平面図である。
【図２】同杆体の要部の側面図である。
【図３】杆体のダイス部の内部を示す要部の断面図である。
【図４】公知の圧着接続子の斜視図である。
【図５】（Ａ）は従来の圧着工具に圧着接続子を挟み込んだときに雌雄のダイス部間にあそび間隙があることを示すものであり、凹型ダイス部に取付けたバックラッシュにより圧着接続子を対向する凸型ダイス部に押し付けて落下しないように保持している状態を示す。（Ｂ）は圧着接続子をバックラッシュで凸型ダイス部に押し付けて保持しながら圧着工具にて圧着接続子の圧着胴部を圧縮変形させる状態の説明図である。
【考案を実施するための形態】
【００１１】
以下、本考案を図示する実施形態により具体的に説明する。
図１は、本考案の電線圧着工具１の杆体２、３の先端部の要部を拡大して示すもので、杆体２、３の先端の雌雄のダイス部、即ち、凹型のダイス部Ａ及び凸型のダイス部Ｂと、凹型ダイス部Ａに形成された貫通孔４と該貫通孔４に挿入されるバックラッシュ５を分離して示している。
【００１２】
更に詳細に説明すると、貫通孔４は杆体２、３の２個の凹型のダイス部Ａに、側面２ａ、３ａの外側から両ダイス部Ａ及びＢの噛合部９に向って貫通して形成され、先端は後述する押しピンが挿通される細径の孔４１として形成されている。
図示の電線圧着工具１ではそれぞれ径の異なる凹凸ダイス部Ａ、Ｂからなる噛合部９を杆体２、３に２個ずつ形成している。尚、噛合部９を形成する両ダイス部の凹凸の組み合わせは図示の例に限らず、凹凸が左右のダイスで逆向きとなることもある。
【００１３】
又、該貫通孔４には細径のピン孔４１が噛合部９に臨む先端に形成され、他端は径太の通孔４２が形成され、開口端にはねじ溝が形成されている。該貫通孔４には先端に細径のピン部６１を形成した押しピン６が挿入され、太径の基部６２が細径のピン孔４１との段部４３にて係止されるようになっている。更に、押しピン６の後面には弾性体のコイルスプリング７を介在し、押しねじ８にて杆体２、３の側面２ａ、３ａに螺着されている。以上の貫通孔４、押しピン６、コイルスプリング７、押しねじ８にてバックラッシュ５を構成している。
【００１４】
図中、１０は両ダイス部Ａ、Ｂを設けた杆体２、３の枢支ピン、１１は固定板、１２は固定ピンである。１３、１４は杆体２、３の基端の把手を示す。
【００１５】
図３は一般的な圧着接続子１５を示し、スタット孔１６を穿設した扁平な舌部１７の基部に電線が挿通される筒状の圧着胴部１８を備えている。この圧着接続子１５は圧着工具の雌雄となる凹凸のダイス部Ａ、Ｂ間の噛合部９内に保持され、圧着胴部１８が圧着変形されて電線を保持する。
【００１６】
次に本考案の作用を説明する。
電線圧着工具１の杆体２、３に形成された雌雄のダイス部Ａ、Ｂの凹凸の噛合部９に圧着接続子１５を介在させ圧着作業を行う際に、図４（Ａ）に示すように、電線圧着工具によっては凹型ダイスＡと凸型ダイスＢ間に若干のあそび間隙Ｎが生じるため、介在した圧着接続子１５がその間隙より脱落する場合がある。図４（Ａ）で符号Ｌは圧着接続子１５の圧着胴部１８の径を示す。
【００１７】
本考案のバックラッシュを備えた電線圧着工具によれば、凹凸のダイス部Ａ、Ｂを締め付ける把手１３、１４を操作し、介在した圧着接続子１５の圧着胴部１８を、基端にコイルスプリング７にて付勢された押しピン６にて対向する凸型ダイス部Ｂ側に押圧して脱落を防止しながら、図４（Ｂ）のように両ダイス部Ａ、Ｂの締付けにて安定して圧着胴部１８の電線の取付け作業を行うことができる。
【００１８】
また、圧着接続子１５の径が異なる場合には、両ダイス部の凹凸の噛合部９の位置を代えることで対応することが出来る。両ダイス部間に形成された複数の噛合部９は圧着接続子の径の大小に対応して予めその大きさが形成されている。
【符号の説明】
【００１９】
１        電線圧着工具
２、３    杆体
２ａ、３ａ  杆体の側面
４        貫通孔
４１      細径のピン孔
４２      径太の通孔
４３      段部
５        バックラッシュ
６        押しピン
６１      細径のピン部
６２      太径の基部
７        コイルスプリング
８        押しねじ
９        噛合部
１５      圧着接続子
１８      圧着胴部
Ｎ        あそび間隙
Ｌ        圧着接続子の圧着胴部の径
【図１】
0003194489.tif 000003
【図２】
0003194489.tif 000004
【図３】
0003194489.tif 000005
【図４】
0003194489.tif 000006
【図５】
0003194489.tif 000007
【手続補正書】
【提出日】平成26年9月17日(2014.9.17)
【手続補正１】
【補正対象書類名】実用新案登録請求の範囲
【補正対象項目名】全文
【補正方法】変更
【補正の内容】
【実用新案登録請求の範囲】
【請求項１】
杆体（２、３）の先端部にそれぞれ大きさを異にする凹凸のダイス部（Ａ、Ｂ）を形成し噛合部（９）を形成した電線圧着工具であって、該工具の杆体（２、３）の側面から凹凸のダイス部の噛合部（９）に向けて形成した貫通孔（４）内に、基端を弾性体（７）にて付勢された押しピン（６）を進退自在に突出させたことを特徴とする電線圧着工具のバックラッシュ。
【請求項２】
前記バックラッシュは、杆体（２、３）の側面より凹凸のダイス部の噛合部（９）に向けて形成された貫通孔（４）内に、先端ピン部が突出して挿入される押しピン（６）と、該押しピン（６）の後部に当接される弾性体（７）を挿通し、該弾性体（７）を押しピン（６）側に常時付勢する押しねじ（８）を螺着して構成されたことを特徴とする請求項１に記載の電線圧着工具のバックラッシュ。
【請求項３】
前記貫通孔（４）は杆体の側面より凹型ダイス部（Ａ）に向けて形成され、貫通孔（４）の先端部は押しピン（６）の先端ピン部（６１）が挿通される細径のピン孔（４１）とし形成され、後部は径太の通孔（４２）として形成され、押しねじ（８）が螺着されることを特徴とする請求項１に記載の電線圧着工具のバックラッシュ。